(57)【特許請求の範囲】
【請求項１】
入力される高周波信号に基づいて人体の局部に電磁波を照射する導子と、
高周波信号を発生する高周波信号発生部と、
前記高周波信号発生部の出力インピーダンスと前記導子のインピーダンスとを整合して、前記高周波信号発生部が発生した高周波信号を出力するインピーダンス整合部と、
前記導子に断線検出用の電圧を印加し、該印加した電圧に応じた前記導子からの電流値が予め定められた通電時の範囲内にあるか否かを検出して電流検出結果として出力する電流検出部と、
入力される選択信号に基づいて、前記インピーダンス整合部と前記電流検出部とのうち、いずれか一方を前記導子に接続する接続切換部と、
前記接続切換部と前記導子とを接続するコード部と、
前記コード部と前記接続切換部とが接続されているか否かを検出し、該検出した結果を導子接続検出結果として出力する導子接続検出部を有し、
前記電流検出部と前記導子とを接続することを示す選択信号を前記接続切換部に出力し、前記電流検出部からの電流検出結果を入力し、前記電流が予め定められた通電時の範囲内にないことを該入力した電流検出結果が示す場合には、前記導子接続検出部からの導子接続検出結果を入力し、前記コード部と前記接続切換部とが接続されていないことを該入力した導子接続検出結果が示す場合には、前記コード部と前記接続切換部とが接続されていないことを示す未接続異常信号を出力し、前記コード部と前記接続切換部とが接続されていることを該入力した導子接続検出結果が示す場合には、前記導子の導通不良を示す導通不良異常信号を出力する制御部と、
前記未接続異常信号が入力された場合には、前記コード部と前記接続切換部とが接続されていないことを示す未接続異常を報知し、前記導通不良異常信号が入力された場合には、前記導子の導通不良を示す導通不良異常を報知する報知部と、
を有することを特徴とする電磁波治療装置。
【発明の詳細な説明】
【技術分野】
【０００１】
本発明は、人体の局部に当てられて電磁波を照射する導子と治療器本体とがコードを介して接続される電磁波治療装置の技術に関し、特に、治療装置本体に接続される導子およびコードの状態（接続または未接続、および、断線）を検出し、導子およびコードの異常を報知する技術に関する。
【背景技術】
【０００２】
人体の局部に当てられて電磁波を照射する導子と治療器本体とがコードを介して接続される電磁波治療装置が知られている。この治療装置は、短波帯からマイクロ波帯の電磁波を、患者の人体の局部に接触する導子を介して使用者に照射する。この患者に照射された電磁波により、患者のからだの深部に熱を届かせることにより、温熱治療を行っている（例えば、特許文献１参照）。
【特許文献１】特願平５−２５５７３０号公報
【発明の開示】
【発明が解決しようとする課題】
【０００３】
しかしながら、従来の電磁波治療装置にあっては、導子から電磁波が照射されていない場合であっても、使用者が気づかない場合があるという問題がある。これは、たとえば、電磁波治療装置による電磁波の照射が、使用者にとって刺激作用がなく、また、電磁波の透熱が温和であるために、電磁波が照射されているか否かを使用者が気づきにくいという理由が考えられる。
【０００４】
このように電磁波治療装置が電磁波を照射していない場合であって、電磁波治療装置が電磁波を照射していないことを使用者が気づかない場合には、電磁波治療装置が正常の動作していないにもかかわらず、使用者によっては、電磁波治療装置の効果が無いと勘違いし、電磁波治療装置を使用した治療を止めてしまうこともありうる。
【０００５】
ここで、このように電磁波治療装置の導子から電磁波が照射されないことの原因としては、例えば、導子と電磁波治療装置本体とを接続するケーブルが断線しており、導子が導通していないという原因が考えられる。
【０００６】
以上のように、従来の電磁波治療装置においては、例えば、導子と電磁波治療装置本体とを接続するケーブルが断線しており、導子が導通していないために、導子が正常に電磁波を照射していないことがあり、その場合に、使用者が、導子が正常に電磁波を照射していないことを検知することが難しいという問題があった。
【０００７】
本発明は、このような事情に鑑みてなされたもので、その目的は、導子が正常に電磁波を照射していないことを使用者が容易に検知することができることを可能とする電磁波治療装置を提供することにある。
【課題を解決するための手段】
【０００８】
この発明は上述した課題を解決するためになされたものであり、入力される高周波信号に基づいて人体の局部に電磁波を照射する導子と、高周波信号を発生する高周波信号発生部と、前記高周波信号発生部の出力インピーダンスと前記導子のインピーダンスとを整合して、前記高周波信号発生部が発生した高周波信号を出力するインピーダンス整合部と、前記導子に断線検出用の電圧を印加し、該印加した電圧に応じた前記導子からの電流値が予め定められた通電時の範囲内にあるか否かを検出して電流検出結果として出力する電流検出部と、入力される選択信号に基づいて、前記インピーダンス整合部と前記電流検出部とのうち、いずれか一方を前記導子に接続する接続切換部と、前記接続切換部と前記導子とを接続するコード部と、前記コード部と前記接続切換部とが接続されているか否かを検出し、該検出した結果を導子接続検出結果として出力する導子接続検出部を有し、前記電流検出部と前記導子とを接続することを示す選択信号を前記接続切換部に出力し、前記電流検出部からの電流検出結果を入力し、前記電流が予め定められた通電時の範囲内にないことを該入力した電流検出結果が示す場合には、前記導子接続検出部からの導子接続検出結果を入力し、前記コード部と前記接続切換部とが接続されていないことを該入力した導子接続検出結果が示す場合には、前記コード部と前記接続切換部とが接続されていないことを示す未接続異常信号を出力し、前記コード部と前記接続切換部とが接続されていることを該入力した導子接続検出結果が示す場合には、前記導子の導通不良を示す導通不良異常信号を出力する制御部と、前記未接続異常信号が入力された場合には、前記コード部と前記接続切換部とが接続されていないことを示す未接続異常を報知し、前記導通不良異常信号が入力された場合には、前記導子の導通不良を示す導通不良異常を報知する報知部と、を有することを特徴とする電磁波治療装置である。
【発明の効果】
【００１１】
この発明によれば、電磁波治療装置が、導子が導通しているか否かを検出し、導通していないことを検出した場合には、導子の導通異常を報知することにより、導子が正常に電磁波を照射していないことを使用者が容易に検知することができることを可能となる効果を奏する。
【発明を実施するための最良の形態】
【００１２】
以下、図面を参照して、本発明の実施の形態について説明する。図１は、この発明の一実施形態による電磁波治療装置１の外観図である。電磁波治療装置１は、人体の局部に当てられて電磁波を照射する導子３と治療器本体２とがコード部５を介して接続されている。この治療器本体２とコード部５とは、コネクタ部４を介して、着脱可能に接続されている。また、導子３とコード部５とは、例えば、一体として構成されている。なお、本発明は、導子３とコード部５との導通不良の検出、つまり、断線を検出する技術に関するため、電磁波治療装置１において、本発明に関する構成のみについて説明する。
【００１３】
また、治療器本体２は、報知部２１と操作部２２とを有する。操作者は、操作部２２を操作することにより、治療器本体２の電源投入の操作や、治療器本体２の動作を設定する。また、操作部２２は、電源投入の操作が入力されたことに応じて、電源投入の信号を後述する制御部２７に出力する。報知部２１は、導子３が電磁波を照射することができないことを示す異常を報知する。報知部２１は、例えば、報知部２１はＬＥＤ（Light Emitting Diode）部Ａ１を有しており、このＬＥＤ部Ａ１を点灯させることにより、導子３の導通不良のために、導子３から電磁波を照射できないことを示す導通不良異常を報知する。
【００１４】
次に、図２を用いて、第１の実施形態による電磁波治療装置１の構成を説明する。同図において図１の各部に対応する部分には同一の符号を付け、その説明を省略する。治療器本体２は、報知部２１と、操作部２２と、高周波信号発生部２３と、インピーダンス整合部２４と、接続切換部２５と、電流検出部２６と、制御部２７と、を有する。
【００１５】
高周波信号発生部２３は、高周波信号を発生する。インピーダンス整合部２４は、高周波信号発生部２３の出力インピーダンスと導子３のインピーダンスとを整合して、高周波信号発生部２３が発生した高周波信号を出力する。
【００１６】
電流検出部２６は、制御部２７からの制御信号に基づいて、導子３に断線検出用の電圧を印加し、該印加した電圧に応じた導子３からの電流値が予め定められた通電時の範囲内にあるか否かを検出して電流検出結果として制御部２７に出力する。一例としての電流検出部２６は、導子３に断線検出用の直流電圧を印加し、該印加した直流電圧に応じた導子３からの直流電流の有無を検出して電流検出結果として制御部２７に出力する。なお、電流検出部２６は、該印加した直流電圧に応じた導子３からの直流電流の有無を検出しているため、コード部５の断線、または、導子３の断線を検出している。
【００１７】
接続切換部２５は、制御部２７から入力される選択信号に基づいて、インピーダンス整合部２４と電流検出部２６とのうち、いずれか一方を導子３に接続する。コード部５は、接続切換部２５と導子３とを接続する。一例としての接続切換部２５は、例えば、リレーである。
【００１８】
例えば、接続切換部２５は、スイッチＳＷ１とスイッチＳＷ２とを有する。このスイッチＳＷ１が、コネクタ部４の一端と接続される端子Ｐ１０と、インピーダンス整合部２４の出力側Ｌ２の一端に接続される端子Ｐ１１と、電流検出部２６の一端に接続される端子Ｐ１２と、を有する。また、スイッチＳＷ２が、コネクタ部４の他端と接続される端子Ｐ２０と、インピーダンス整合部２４の出力側Ｌ２の他端に接続される端子Ｐ２１と、電流検出部２６の他端に接続される端子Ｐ２２と、を有する。
【００１９】
スイッチＳＷ１は、制御部２７から入力される選択信号に基づいて、端子Ｐ１０と端子Ｐ１１、または、端子Ｐ１０と端子Ｐ１２とのいずれか一方を接続させる。また、スイッチＳＷ２は、制御部２７から入力される選択信号に基づいて、端子Ｐ２０と端子Ｐ２１、または、端子Ｐ２０と端子Ｐ２２とのいずれか一方を接続させる。なお、スイッチＳＷ１とスイッチＳＷ２とは、制御部２７から入力される選択信号に基づいて、スイッチＳＷ１が端子Ｐ１０と端子Ｐ１１とを接続する場合には、スイッチＳＷ２が端子Ｐ２０と端子Ｐ２１とを接続し、逆に、スイッチＳＷ１が端子Ｐ１０と端子Ｐ１２とを接続する場合には、スイッチＳＷ２が端子Ｐ２０と端子Ｐ２２とを接続する。
【００２０】
よって、接続切換部２５が、制御部２７から入力される選択信号に基づいて、インピーダンス整合部２４を導子３に接続する場合には、スイッチＳＷ１が端子Ｐ１０と端子Ｐ１１とを接続し、かつ、スイッチＳＷ２が端子Ｐ２０と端子Ｐ２１とを接続する。従って、この場合、インピーダンス整合部２４の出力側Ｌ２の一端が、スイッチＳＷ１の端子Ｐ１１と端子Ｐ１０とを介してコネクタ部４の一端と接続され、コネクタ部４の一端と接続されるコード部５の一方の側と導子３の一端とを介し、接続される。更に、導子３の他端から、コード部５の他方の側を介してコネクタ部４の他端に接続される。更に、コネクタ部４の他端から、スイッチＳＷ２の端子Ｐ２０と端子Ｐ２１とを介して、インピーダンス整合部２４の出力側Ｌ２の他端とが接続される。これにより、インピーダンス整合部２４の出力側Ｌ２と接続切換部２５とコード部５と導子３とが閉回路となる。
【００２１】
逆に、接続切換部２５が、制御部２７から入力される選択信号に基づいて、電流検出部２６を導子３に接続する場合には、スイッチＳＷ１が端子Ｐ１０と端子Ｐ１２とを接続し、かつ、スイッチＳＷ２が端子Ｐ２０と端子Ｐ２２とを接続する。従って、この場合、電流検出部２６の一端が、スイッチＳＷ１の端子Ｐ１１と端子Ｐ１２とを介してコネクタ部４の一端と接続され、コネクタ部４の一端と接続されるコード部５の一方の側と導子３の一端とを介し、接続される。更に、導子３の他端から、コード部５の他方の側を介してコネクタ部４の他端に接続される。更に、コネクタ部４の他端から、スイッチＳＷ２の端子Ｐ２０と端子Ｐ２２とを介して、電流検出部２６の他端とが接続される。これにより、電流検出部２６と接続切換部２５とコード部５と導子３とが閉回路となる。
【００２２】
なお、電流検出部２６は、制御部２７から入力される選択信号に基づいて、接続切換部２５が電流検出部２６を導子３に接続し、電流検出部２６と接続切換部２５とコード部５と導子３とが閉回路となった後に、この閉回路に対して、電圧を印加して電流を検出することにより、この閉回路の断線を検出する。
【００２３】
制御部２７は、操作部２２から電源投入の信号が入力されたことに応じて、電流検出部２６と導子３とを接続することを示す選択信号を接続切換部２５に出力し、電流検出部２６からの電流検出結果を入力し、電流が予め定められた通電時の範囲内にないことを該入力した電流検出結果が示す場合には、導子の導通不良を示す導通不良異常信号を出力する。
【００２４】
報知部２１は、制御部２７からの導通不良異常信号が入力されたことに応じて、導子３の導通不良を示す導通不良異常を報知する。報知部２１は、例えば、導通不良異常時には、ＬＥＤ部Ａ１を点灯する。
【００２５】
次に、図３のフローチャートを用いて、第１の実施形態による制御部２７の一例としての動作を説明する。まず、使用者が操作部２２を操作して、電源投入の操作を入力することにより処理が開始される。次に、操作部２２からの電源投入の操作信号を入力された制御部２７は、まず、電流検出部２６と導子３とを接続することを示す選択信号を接続切換部２５に出力し、接続切換部２５を電流検出部２６と導子３とに接続させる（ステップＳ０１）。
【００２６】
次に、電流検出部２６からの電流検出結果を入力し（ステップＳ０２）、該入力した電流検出結果が、電流が予め定められた通電時の範囲内にあること（電流が有ること）を示すか否かを判定する（ステップＳ０３）。ステップＳ０３の判定結果において、該入力した電流検出結果が、電流が予め定められた通電時の範囲内にあること（電流が有ること）を示す場合には、インピーダンス整合部２４と導子３とを接続することを示す選択信号を接続切換部２５に出力することにより、接続切換部２５をインピーダンス整合部２４と導子３とに接続させる（ステップＳ０４）。以降、電磁波治療装置１は、正常に動作し、通常通りに治療が開始される。
【００２７】
一方、ステップＳ０３の判定結果において、該入力した電流検出結果が、電流が予め定められた通電時の範囲内にないこと（電流が無いこと）を示す場合には、導通不良異常信号を報知部２１に出力することにより、報知部２１が導子３の導通不良異常を示す導通不良異常を報知する（ステップＳ０５）。例えば、報知部２１は、ＬＥＤ部Ａ１を点灯する。その後、ステップＳ０２からの処理を繰り返す。
【００２８】
導通不良異常を示すＬＥＤ部Ａ１が点灯することにより、使用者は、導子３が導通不良、例えば、コード部５の断線または導子３の断線により、導子３から電磁波を照射することができないことがわかる。使用者は、この場合、例えば、治療器本体２のコネクタ部４から、コード部５と導子３とを外し、新しいコード部５と導子３とを治療器本体２のコネクタ部４に装着することにより、電磁波治療装置１を正常に使用することが可能となる。
【００２９】
次に、図４を用いて、電流検出部２６に入力される一例としての直流電流、および、電流検出部２６の動作について説明する。まず図４（ａ）を用いて、導子３がコード部５を介して治療器本体２に接続されており、かつ、断線が無い場合であって、正常な場合において電流検出部２６が検出する直流電流について説明する。なお、横軸は時間軸であり、縦軸は電流検出部２６に入力される電流の電流値である。
【００３０】
まず、時刻ｔ０で、操作部２２の操作により電源が投入されたことにより、制御部２７が選択信号を出力し、接続切換部２５が、電流検出部２６と導子３とを接続する（図３のステップＳ０１参照）。ここで、この時刻ｔ０より前においては、電流検出部２６に入力される電流値は、ほぼ０である。
【００３１】
次に、時刻ｔ０で、接続切換部２５が電流検出部２６と導子３とを接続したことにより、電流検出部２６に入力される電流値は、時間とともに増大し、時刻ｔ１において、ほぼ一定の値となる。
【００３２】
次に、電流検出部２６は、時刻ｔ１より後の時刻、例えば、時刻ｔ２において、例えば、入力された電流値の値が予め定められた通電時の範囲内にあるか否かを検出して電流検出結果として制御部２７に出力する。この場合、入力された電流値の値が予め定められた通電時の範囲内にあるため、電流検出部２６は、電流値の値が予め定められた通電時の範囲内にあり、電流が有ることを示す電流検出結果を、接続切換部２５に出力する。
【００３３】
また、図４（ｂ）は、導子３がコード部５を介して治療器本体２に接続されていないか、または、断線がある場合であって、異常な場合において電流検出部２６に入力される直流の電流値である。なお、図４（ｂ）では、図４（ａ）と同様な時刻を付し、その説明を省略する。
【００３４】
この場合、時刻ｔ１、ｔ２、ｔ３において、電流検出部２６に入力される電流値は、ほぼ０である。電流検出部２６は、同様に、時刻ｔ２において、例えば、入力された電流値の値が予め定められた通電時の範囲内にあるか否かを検出して電流検出結果として制御部２７に出力する。この場合、入力された電流値の値が予め定められた通電時の範囲内にないため、電流検出部２６は、電流値の値が予め定められた通電時の範囲内になく、電流が無いことを示す電流検出結果を、接続切換部２５に出力する。
【００３５】
次に、図５を用いて、この発明の第２の実施形態による電磁波治療装置１の外観図について説明する。図５の第２の実施形態による電磁波治療装置１は、図１の第１の実施形態による電磁波治療装置１に対比して、報知部２１が、更に、ＬＥＤ部Ａ２を有している。報知部２１は、このＬＥＤ部Ａ２を点灯させることにより、コード部５と接続切換部２５とが接続されていないことを示す未接続異常を報知する。
【００３６】
ここで、図４（ａ）の時刻ｔ０からｔ１に示すように、電源投入をしてから、または、接続切換部２５が電流検出部２６と導子３とを接続してから、一定時間経過後に電流検出部２６に入力される電流値は一定値になり、この一定になった後に、電流検出部２６は電流値を検出する方が望ましい。そのために、制御部２７は、操作部２２からの電源投入の入力、または、電流検出部２６と導子３とを接続する選択信号を接続切換部２５に出力した後、予め定められた一定期間経過後に、例えば時刻ｔ０からｔ２に相当する期間の経過後に、電流検出部２６からの電流検出結果を入力し、該入力した電流検出結果を判定する。制御部２７は、予め定められた一定期間の経過を測定するために、内部または外部に時刻計測部を有するようにしてもよい。
【００３７】
次に、図６を用いて、第２の実施形態による電磁波治療装置１の構成を説明する。同図において図２の各部に対応する部分には同一の符号を付け、その説明を省略する。この第２の実施形態による電磁波治療装置１は、コード部５と接続切換部２５とが接続されているか否かを検出し、該検出した結果を導子接続検出結果として制御部２７に出力する導子接続検出部２８を有する。一例としての導子接続検出部２８は、コード部５と接続切換部２５とが接続することを検出するメカニカルスイッチまたはリードスイッチである。
【００３８】
また、制御部２７が、導子接続検出部２８からの導子接続検出結果を入力し、該入力した導子接続検出結果がコード部５と接続切換部２５とが接続されていないことを示す場合には、コード部５と接続切換部２５とが接続されていないことを示す未接続異常信号を報知部２１に出力する。報知部２１は、未接続異常信号が制御部２７から入力されたことに応じて、コード部５と接続切換部２５とが接続されていないことを示す未接続異常を報知する。
【００３９】
また、制御部２７が、電流検出部２６と導子３とを接続することを示す選択信号を接続切換部２５に出力し、電流検出部２６からの電流検出結果を入力し、電流が予め定められた通電時の範囲内にないことを該入力した電流検出結果が示す場合には、導子接続検出部２８からの導子接続検出結果を入力し、コード部５と接続切換部２５とが接続されていないことを該入力した導子接続検出結果が示す場合には、コード部５と接続切換部２５とが接続されていないことを示す未接続異常信号を報知部２１に出力し、コード部５と接続切換部２５とが接続されていることを該入力した導子接続検出結果が示す場合には、導子３の導通不良を示す導通不良異常信号を報知部２１に出力する。
【００４０】
また、報知部２１は、未接続異常信号が制御部２７から入力された場合には、コード部５と接続切換部２５とが接続されていないことを示す未接続異常を報知し、導通不良異常信号が入力された場合には、導子３の導通不良を示す導通不良異常を報知する。
【００４１】
次に、図７のフローチャートを用いて、第２の実施形態による制御部２７の一例としての動作を説明する。同図において、図３と同様なステップには、同一の符号を付ける。ここで、同図と図３とにおいて、ステップＳ０１、ステップＳ０２、ステップＳ０３、および、ステップＳ０４は、図７のフローチャートと図３のフローチャートとにおいて、同様であるため、その説明を省略する。
【００４２】
まず、ステップＳ０３の判定結果において、該入力した電流検出結果が、電流が予め定められた通電時の範囲内にないこと（電流が無いこと）を示す場合には、導子接続検出部２８からの導子接続検出結果を入力し、コード部５と接続切換部２５とが接続されていることを該入力した導子接続検出結果が示すか否かを判定する（ステップＳ０６）。
【００４３】
次に、ステップＳ０６の判定結果において、該入力した導子接続検出結果がコード部５と接続切換部２５とが接続されていないことを示す場合には、コード部５と接続切換部２５とが接続されていないことを示す未接続異常信号を報知部２１に出力することにより、報知部２１が、コード部５と接続切換部２５とが接続されていないことを示す未接続異常を報知する（ステップＳ０７）。例えば、報知部２１は、ＬＥＤ部Ａ２を点灯する。その後、ステップＳ０２からを繰り返す。
【００４４】
一方、ステップＳ０６の判定結果において、コード部５と接続切換部２５とが接続されていることを該入力した導子接続検出結果が示す場合には、導子３の導通不良を示す導通不良異常信号を報知部２１に出力することにより、報知部２１が、導子３の導通不良を示す導通不良異常を報知する（ステップＳ０８）。例えば、報知部２１は、ＬＥＤ部Ａ１を点灯する。その後、ステップＳ０２からを繰り返す。
【００４５】
以上により、第２の実施形態によれば、第１の実施形態と同様に、導通不良異常を示すＬＥＤ部Ａ１が点灯することにより、使用者は、導子３が導通不良、例えば、コード部５の断線または導子３の断線により、導子３から電磁波を照射することができないことがわかる。使用者は、この場合、例えば、治療器本体２のコネクタ部４から、コード部５と導子３とを外し、新しいコード部５と導子３とを治療器本体２のコネクタ部４に装着することにより、電磁波治療装置１を正常に使用することが可能となる。
【００４６】
更に、この第２の実施形態によれば、ＬＥＤ部Ａ２が点灯することにより、使用者は、コード部５と接続切換部２５とが接続されていないことがわかる。使用者は、この場合、例えば、再度コード部５と導子３とを治療器本体２のコネクタ部４に装着することにより、コード部５と接続切換部２５とを接続することにより、電磁波治療装置１を正常に使用することが可能となる。
【００４７】
第２の実施形態によれば、第１の実施形態に対比して、ＬＥＤ部Ａ２が点灯または消灯により、コード部５と導子３とを交換する必要があるのか否か、または、コネクタ部４でのコード部５と治療器本体２との接続を正常にするだけでいいのかが容易にわかるために、容易に電磁波治療装置１を正常な状態にして、正常に電磁波治療装置１を使用することが可能となる。
【００４８】
なお、実施の形態の説明においては、報知部２１はＬＥＤ部を有しており、このＬＥＤ部を点灯させることにより、異常を報知するとして説明したが、これに限られるものではなく、消灯、または点灯および消灯の組み合わせにより、異常を報知するようにしてもよい。また報知部２１は、ＬＥＤ部に限られるものでなく、液晶表示装置などの表示部であってもよい。
【００４９】
また、報知部２１はＬＥＤ部を有しており、このＬＥＤ部の点灯と消灯の組み合わせにより異常を放置するとして説明したが、これに限られるものではなく、報知部２１は音声出力部を有しており、音声によって異常を報知するようにしてもよい。
【００５０】
また、実施の形態の説明においては、制御部２７は、電源投入時において、操作部２２からの電源投入を示す信号が入力されたことに応じて、導子の導通の検査を行うものとして説明したが、これに限られるものではなく、制御部２７に操作者から入力される導子のチェックなどの操作に応じて、導子の導通の検査を行うようにしてもよい。
【００５１】
なお、実施形態においては、電流検出部２６は、電流検出部２６と接続切換部２５とコード部５と導子３とが閉回路に対して、直流電圧を印加して直流電流を検出するものとして説明したが、これに限られるものではなく、交流電圧を印加して、交流電流を検出するようにしてもよい。ただし、検出用に交流電圧を用いる場合には、この交流電圧の周波数および電力は電磁波治療装置１の治療に用いる場合に高周波信号発生部２３またはインピーダンス整合部２４が出力する周波数および電力よりも低いものであり、断線の検査が出来る程度の周波数および電力程度が望ましい。
【００５２】
なお、図２または図６における制御部２７は、専用のハードウェアにより実現されるものであってもよく、また、メモリおよびマイクロプロセッサにより実現させるものであってもよい。
なお、この制御部２７は専用のハードウェアにより実現されるものであってもよく、また、この制御部２７はメモリおよびＣＰＵ（中央演算装置）により構成され、制御部２７の機能を実現するためのプログラムをメモリにロードして実行することによりその機能を実現させるものであってもよい。
【００５３】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００５４】
【図１】この発明の第１の実施形態による電磁波治療装置の概観図を示すブロック図である。
【図２】この発明の第１の実施形態による電磁波治療装置の構成を示すブロック図である。
【図３】図２の第１の実施形態による電磁波治療装置の動作を示すフローチャートである。
【図４】図２の第１の実施形態による電流検出部が検出する電流を説明する説明図である。
【図５】この発明の第２の実施形態による電磁波治療装置の概観図を示すブロック図である。
【図６】この発明の第２の実施形態による電磁波治療装置の構成を示すブロック図である。
【図７】図６の第２の実施形態による電磁波治療装置の動作を示すフローチャートである。
【符号の説明】
【００５５】
１  電磁波治療装置
２  治療器本体
３  導子
４  コネクタ部
５  コード部
２１  報知部
２２  操作部
２３  高周波信号発生部
２４  インピーダンス整合部
２５  接続切換部
２６  電流検出部
２７  制御部
２８  導子接続検出部
【図１】
0005116457.tif 000002
【図２】
0005116457.tif 000003
【図３】
0005116457.tif 000004
【図４】
0005116457.tif 000005
【図５】
0005116457.tif 000006
【図６】
0005116457.tif 000007
【図７】
0005116457.tif 000008